(57)【要約】【課題】掻出フォーク仕組全体を分解する必要がなく、掻出フォーク仕組の分解・組立に要する時間を短縮可能とした育苗箱用播種機の繰出しロールの掻出フォーク構造を提供する。【解決手段】育苗箱用播種機の繰出しロールの掻出スリット溝９に掻出フォーク２を嵌入して、繰出しロールＫの条溝形状とした種子繰出し凹部８内に嵌入した異物を掻き出す掻出フォーク仕組Ｇにおいて、掻出フォーク仕組Ｇは、複数枚の掻出フォーク２を間隔保持軸１と抜止係止軸６により係止する構成とし、間隔保持軸１に複数枚の掻出フォーク２の位置を決める係止溝１ａを複数本穿設し、間隔保持軸１の係止溝１ａに嵌合した掻出フォーク２の抜け止めを抜止係止軸６を係合させることにより行う構成とした。【選択図】図１３
2018011559.tif 000002
【特許請求の範囲】
【請求項１】
育苗箱用播種機の繰出しロールの掻出スリット溝に掻出フォークを嵌入して、前記繰出しロールの種子繰出し凹部に嵌入した異物を掻き出す掻出フォーク仕組において、
前記掻出フォーク仕組は、複数枚の掻出フォークを間隔保持軸と抜止係止軸により係止する構成とし、
前記間隔保持軸に前記複数枚の掻出フォークの位置を決める係止溝を複数本穿設し、
前記間隔保持軸の係止溝に嵌合した掻出フォークの抜け止めを抜止係止軸を係合させることにより行う構成とした
ことを特徴とする育苗箱用播種機の繰出しロールの掻出フォーク構造。
【請求項２】
請求項１記載の育苗箱用播種機の繰出しロールの掻出フォーク構造において、
前記掻出フォークは、前記繰出しロールの掻出スリット溝に嵌入する挿入フォーク部を設け、
前記挿入フォーク部の近傍に前記間隔保持軸の係止溝に嵌入する係止凹部を設け、
前記係止凹部よりも後方の位置に前記抜止係止軸が嵌入される抜止凹部を設け、
前記挿入フォーク部と係止凹部と抜止凹部を上下にずらせて配置した
ことを特徴とする育苗箱用播種機の繰出しロールの掻出フォーク構造。
【請求項３】
請求項２記載の育苗箱用播種機の繰出しロールの掻出フォーク構造において、
前記掻出フォークの抜止凹部よりも後方に前記掻出フォークを掴むための掴み部を突設した
ことを特徴とする育苗箱用播種機の繰出しロールの掻出フォーク構造。
【発明の詳細な説明】
【技術分野】
【０００１】
本発明は、水稲の種籾等の種子を播種する育苗箱用播種機の播種装置において、種籾等の種子を繰り出す繰出しロールの掻出スリット溝に挿入されて、繰出しロールの条溝形状に構成された種子繰出し凹部内に嵌入した異物を掻き出すための掻出フォークの構造に関する。
【背景技術】
【０００２】
従来、育苗箱用播種機の播種装置に関する技術は公知とされているのである。特許文献１に記載の技術の如くである。
従来の水稲育苗箱用播種機の繰出しロールにおいて、繰出しロールのスリット溝に嵌合し、かつ、繰出しロールの条溝形状繰出し凹部内に嵌入した異物を掻き出す掻出フォークの技術は、特許文献１の図１６に開示されている如くに構成されていたのである。
【先行技術文献】
【特許文献】
【０００３】
【特許文献１】特開２０１０−１１９３７２号公報
【発明の概要】
【発明が解決しようとする課題】
【０００４】
しかし、従来の技術においては、繰出しロールの掻出フォーク構造において、１本の掻出フォークが損傷したときに取り替える場合には、一旦、掻出フォークのアッセンブリ全体である掻出フォーク仕組を分解し、分解した状態で、１枚の掻出フォークを取り出して交換する必要があったのである。
また、従来の技術においては、各掻出フォーク間に介装したスペーサが掻出フォークの数Ｎに対して、Ｎ＋１個だけ用意されて、掻出フォークの間に介装される必要があったのである。
【０００５】
また、掻出フォーク仕組の組立手順として、掻出フォーク仕組を仮組立してから、繰出しロールのスリット溝に対して、各々の掻出フォークを挿入して、全ての掻出フォークがスリット溝に嵌入したことを確認して行く必要があり、仕組に組み立てた状態で１枚１枚をスリット溝に合せながら組立するために、掻出フォーク仕組と繰出しロールとの間の組立に時間を要していたのである。
本発明は、このような従来技術の不具合を解消せんとするものである。
【課題を解決するための手段】
【０００６】
本発明の解決すべき課題は以上の如くであり、次に該課題を解決するための手段を説明する。
【０００７】
請求項１においては、育苗箱用播種機の繰出しロールの掻出スリット溝に掻出フォークを嵌入して、前記繰出しロールの種子繰出し凹部に嵌入した異物を掻き出す掻出フォーク仕組において、前記掻出フォーク仕組は、複数枚の掻出フォークを間隔保持軸と抜止係止軸により係止する構成とし、前記間隔保持軸に前記複数枚の掻出フォークの位置を決める係止溝を複数本穿設し、前記間隔保持軸の係止溝に嵌合した掻出フォークの抜け止めを抜止係止軸を係合させることにより行う構成としたものである。
【０００８】
請求項２においては、請求項１記載の育苗箱用播種機の繰出しロールの掻出フォーク構造において、前記掻出フォークは、前記繰出しロールの掻出スリット溝に嵌入する挿入フォーク部を設け、前記挿入フォーク部の近傍に前記間隔保持軸の係止溝に嵌入する係止凹部を設け、前記係止凹部よりも後方の位置に前記抜止係止軸が嵌入される抜止凹部を設け、前記挿入フォーク部と係止凹部と抜止凹部を上下にずらせて配置したものである。
【０００９】
請求項３においては、請求項２記載の育苗箱用播種機の繰出しロールの掻出フォーク構造において、前記掻出フォークの抜止凹部よりも後方に前記掻出フォークを掴むための掴み部を突設したものである。
【発明の効果】
【００１０】
本発明の効果として、以下に示すような効果を奏する。
【００１１】
請求項１の如く構成したので、１つの掻出フォークを交換する場合でも、掻出フォーク仕組全体を分解する必要がなくなり、掻出フォーク仕組の分解・組立に要する時間を従来よりも短縮できる。
【００１２】
請求項２の如く構成したので、隣り合う掻出フォーク間の間隔を保持するために、間隔保持軸の外周に遊嵌していたスペーサが必要なくなり、掻出フォークの掻出フォーク仕組への組立工数も短縮することができるので、コストダウンにつながるのである。
【００１３】
請求項３の如く構成したので、掻出フォーク仕組を分解する場合に、１枚毎の掻出フォークを掴み部を掴んで引き出すことが可能となったのである。
【図面の簡単な説明】
【００１４】
【図１】水稲用の育苗箱用播種機の全体斜視図。
【図２】育苗箱用播種機の播種装置の部分の側面図。
【図３】同じく育苗箱用播種機の播種装置の後面図。
【図４】播種装置のフレーム側板の間に繰出しロールユニットを挿入する状態の側面図。
【図５】繰出しロールユニットの育苗箱の進行方向における右側面図。
【図６】繰出しロールユニットの育苗箱の進行方向における左側面図
【図７】繰出しロールユニットの育苗箱の進行方向における後面図。
【図８】繰出しロールユニットの分解斜視図。
【図９】繰出しロールの全体後面図。
【図１０】繰出しロールにおける掻出フォークを挿入するスリット溝の形状を示す断面図。
【図１１】繰出しロールに対して間隔保持軸を取り付けた状態の側面図。
【図１２】繰出しロールに対して掻出フォークを挿入した状態の側面図。
【図１３】繰出しロールと掻出フォークに対して抜止係止軸を挿入した状態の側面図。
【図１４】掻出フォークの拡大側面図。
【図１５】間隔保持軸の後面図。
【図１６】抜止係止軸の後面図。
【発明を実施するための形態】
【００１５】
次に、本発明を実施するための形態について図面に基づき説明する。
【００１６】
図１において、水稲用の育苗箱用播種機の播種装置の全体構造について説明する。
【００１７】
水稲用の育苗箱用播種機の播種装置は、育苗箱搬送用の駆動レールＲ上で、播種時に育苗箱を移動させる。育苗箱の移動方向Ｆに沿って順に、床土供給装置Ａと、播種装置Ｂ、覆土装置Ｃが、駆動レールＲの上に固定配置されている。
前記駆動レールＲの上を、育苗箱が駆動ロール５により駆動されて移送される間に、育苗箱内に床土供給装置Ａにより床土が投入され、該床土の上を均平装置Ｅにより均し、次に灌水装置Ｄにより灌水が行われ、次に、該播種装置Ｂにより種子が播種される。
更に、床土と種子の上に、覆土装置Ｃにより覆土が行われて、播種作業が終了するように構成されている。Ｈは床土供給装置Ａのための駆動装置である。
【００１８】
前記床土供給装置Ａの前後の駆動レールＲの上には、床土供給装置Ａの前の位置に、駆動レールＲと、床土供給装置Ａに動力を伝達する床土供給装置Ａの駆動装置Ｈが配置され、更に、床土供給装置Ａの後部に土壌面を均す均平装置Ｅと、前記灌水装置Ｄが配置されている。
本発明は、この育苗箱用播種機の播種装置Ｂにおいて、該播種装置Ｂの主要部を構成する繰出しロールＫの掻出スリット溝に嵌入する掻出フォーク仕組Ｇのメンテナンスを容易にするのための支持構造に関するものである。
【００１９】
図１から図８において、前記播種装置Ｂと、該播種装置Ｂにおける繰出しロールユニットＵの構造について詳細に説明する。
前記播種装置Ｂは、上部に種子ホッパー１８を配置し、該種子ホッパー１８の内部に、播種する水稲の種子である種籾を投入する。前記種子ホッパー１８の下部には、図２に示す如くシャッター４０が配置されており、該シャッター４０を開閉操作するシャッター操作部３９が設けられている。
前記シャッター４０から落下した種子は、前記繰出しロールＫと種子回転ブラシ３３の間の空間に落下して移動し、前記繰出しロールＫの周囲の条溝形状の種子繰出し凹部８内に一部が落下する。
【００２０】
前記繰出しロールＫの周囲には、育苗箱の移動方向Ｆに直角方向に左右に形成された条溝形状の種子繰出し凹部８が穿設されており、該条溝形状の種子繰出し凹部８内に嵌入しないで溢れた種子は、繰出しロールＫの回転と共に、図２において図示している如く、繰出しロールＫの回転方向Ｖとは逆の方向に回転している種子回転ブラシ３３により掻き取られて、種子ホッパー１８の下部に戻るように構成されている。
【００２１】
前記種子ホッパー１８は、播種装置Ｂを構成する左右のフレーム側板４Ｌ・４Ｒの間に支持されており、該フレーム側板４Ｌ・４Ｒの内側に、駆動モーターが固設されている。該駆動モーターの駆動モータ軸からモータスプロケットを経て、カウンター軸３８のカウンタースプロケット３７にチェーンにより動力が伝達される。前記カウンタースプロケット３７から繰出しロールＫの駆動スプロケット３４にチェーン７０が巻回されて、動力が伝達されている。
【００２２】
図３において図示する如く、前記駆動スプロケット３４は、スプロケット支持板４１と、フレーム側板４Ｒとの間において、係合回転筒軸である六角回転筒軸１１により軸受支持されている。
即ち、フレーム側板４Ｒの軸受４３と、スプロケット支持板４１の軸受４２と間に、前記係合回転筒軸である六角回転筒軸１１が架設されて軸受支持されており、該六角回転筒軸１１の外周に前記駆動スプロケット３４が固設されて回転自在とされている。
【００２３】
そして、前記六角回転筒軸１１の内部に、回転軸引出し部材１６により引出し操作ができる係合回転軸である六角回転軸１５が嵌挿されている。該六角回転軸１５が挿入され、該六角回転軸１５の先端が、駆動スプロケット３４の六角回転筒軸１１の六角孔を貫通して、更に、前記繰出しロールユニットＵを構成するロール側板１７Ｌ・１７Ｒの六角孔軸受１４の内輪に嵌入した筒軸１４ａの六角孔に挿入可能としている。
前記回転軸引出し部材１６は、前記六角回転筒軸１１の外側に押圧されて、固定螺子１６ａにより固定されており、該回転軸引出し部材１６は、六角回転筒軸１１と駆動スプロケット３４と共に、駆動スプロケット３４の回転時には、同じく回転している。
【００２４】
この六角回転軸１５を、六角孔軸受１４の筒軸１４ａからの抜き出し動作を回転軸引出し部材１６により行うことにより、繰出しロールユニットＵと、繰出しロールＫと、駆動スプロケット３４の間の駆動連結状態が解除されて、繰出しロールユニットＵを、播種装置Ｂの前方の開口部Ｑから取り出し可能としている。
【００２５】
前記繰出しロールユニットＵの回転軸引出し部材１６が設けられている側と、逆の他側も、繰出しロールユニットＵの軸受状態を簡単に解除可能な構成としており、回転軸引出し部材１６の側から、固定螺子１６ａを螺装して付勢バネＳを介して、回転軸引出し部材１６に固定螺子１６ａにより固定する操作により、六角回転筒軸１１の内径の六角孔１１ａの内部に配置された付勢バネＳが、六角回転軸１５を押圧して、繰出しロールユニットＵ全体を、左側のロール側板１７Ｌ側に押圧して、該左側の軸受部が簡単係合され、繰出しロールＫの回転が可能に軸受支持されている。
【００２６】
次に、繰出しロールユニットＵの構成について、図５〜図８において説明する。
繰出しロールユニットＵは、左右のロール側板１７Ｌ・１７Ｒと、その間に一体的に仕組みとして構成された繰出しロールＫと、種子案内ガイド３５と、フォーク仕組Ｇを構成する複数の掻出フォーク２により構成されている。
従来は、種子案内ガイド３５と掻出フォーク２は、播種装置Ｂのフレーム側板４Ｌ・４Ｒに架設されており、繰出しロールＫだけが、フレーム側板４Ｌ・４Ｒに回転自在に軸受支持されていた。
【００２７】
本構成においては、フレーム側板４Ｌ・４Ｒの内側に、側板プレート３Ｌ・３Ｒを配置し、該側板プレート３Ｌ・３Ｒの間に、異物を掻き出す掻出フォーク２と種子案内ガイド３５を固定し、更に前記側板プレート３Ｌ・３Ｒの間に繰出しロールＫを軸受支持し、全体として、繰出しロールユニットＵを構成して、開口部Ｑから取りだし可能に構成している。
そして、播種装置Ｂの開口部Ｑは、フレーム側板４Ｌ・４Ｒの間に構成し、繰出しロールユニットＵの後面板１により閉鎖して、該後面板１０を播種装置Ｂの後面板に取り付けることにより繰出しロールユニットＵの固定を可能としている。
【００２８】
このように構成した繰出しロールユニットＵを、播種装置Ｂの前側の開口部Ｑから、脱着可能としており、前記回転軸引出し部材１６により、六角回転軸１５を引出し可能として、駆動スプロケット３４と繰出しロールＫとの間の動力伝達状態を断・接することができるように構成している。
【００２９】
前記繰出しロールユニットＵを構成する種子案内ガイド３５は、図２と図５と図８に図示されており、繰出しロールＫの外周に沿うような半円の筒状に構成されている。また、フォーク仕組Ｇの掻出フォーク２は、図１４に示すように、Ｓ字状の形状の板を、繰出しロールＫの掻出スリット溝９の数だけの数を、間隔保持軸１と抜止係止軸６の間に連設して、左右のロール側板１７Ｌ・１７Ｒの幅に至るように構成している。前記掻出フォーク２の１枚、１枚が、繰出しロールＫの外周の掻出スリット溝９に嵌合するように配置されている。
そして、種子繰り出し作業を続ける間に、条溝形状とした種子繰出し凹部８内に嵌入された状態の異物が、該条溝形状とした種子繰出し凹部８から落下しない場合に、掻出スリット溝９内を通過する掻出フォーク２により、異物の掻き出しを行うのである。
【００３０】
図９に示す繰出しロールＫにおいては、前記掻出スリット溝９は、７．１５ｍｍの幅で、４０本が穿設されており、前記掻出フォーク２は、７．１５ｍｍの幅で、４０本が、ロール側板１７Ｌ・１７Ｒの間にセットとして同一間隔で固設された構成とされている。
【００３１】
次に、繰出しロールＫの構造について説明する。
繰出しロールＫの表面において、種子が嵌入する条溝形状とした種子繰出し凹部８は、繰出しロールＫの回転軸心と同一方向に、母線Ｗと平行に、角度６°の間隔を開けて６０本が穿設されている。この母線Ｗと平行の間隔で、条溝形状とした種子繰出し凹部８が穿設されて、繰出しロールの外周面に母線Ｗ方向に平行な横条溝形状の種子繰出し凹部８を形成している。そして、ホッパー内の種籾を掃き戻す種子回転ブラシ３３は繰出しロールの外周面に常時密着して回転している。
【００３２】
また、図１０に示す如く、周囲に穿設されている４０本の掻出スリット溝９の左右端部の２〜３本の間で、徐々に、幅が狭くなり、かつ深さが浅くなって、収束して消えるように構成している。これによっても、種子が条溝形状とした繰出し凹部８に入りやすく、また落下部分で容易に落下することができるように構成することができたのである。
【００３３】
本構成は、育苗箱用播種機の播種装置において、種子を条溝形状とした種子繰出し凹部８に一定量を嵌入させ保持する繰出しロールＫと、条溝形状の種子繰出し凹部８に嵌合した種子を上部から下部に誘導するための種子案内ガイド３５と、繰出しロールＫの外周に穿設された掻出スリット溝９に嵌入して、種子繰出し凹部８に嵌合した異物を掻き出す掻出フォーク２を、側板プレート３Ｌ・３Ｒの間に一体的に支持した繰出しロールユニットＵを構成し、繰出しロールユニットＵを播種装置Ｂのフレーム側板４Ｌ・４Ｒの間に脱着可能にしたものである。
【００３４】
次に、図８から図１６において、掻出フォーク仕組Ｇと、掻出フォーク仕組Ｇを構成する掻出フォーク２と、掻出フォーク２を支持する間隔保持軸１と抜止係止軸６について具体的に説明する。
育苗箱用播種機の繰出しロールの掻出スリット溝９に嵌入して、繰出しロールＫの条溝形状とした種子繰出し凹部８内に嵌入した異物を掻き出す掻出フォーク仕組Ｇにおいて、掻出フォーク仕組Ｇは、複数枚の掻出フォーク２を間隔保持軸１と抜止係止軸６により係止する構成としている。
前記間隔保持軸１には、複数枚の掻出フォーク２の位置を決める係止溝１ａを複数本穿設している。更に、前記間隔保持軸１の係止溝１ａに嵌合した掻出フォーク２の抜け止めを後方の係止位置に固定した抜止係止軸６により行うように構成している。
【００３５】
また、育苗箱用播種機の繰出しロールの掻出フォーク構造において、掻出フォーク２は、繰出しロールＫの掻出スリット溝９に嵌入する挿入フォーク部２ｃを突出し、該挿入フォーク部２ｃの近傍に、間隔保持軸１の係止溝１ａに嵌入する係止凹部２ａを設け、該係止凹部２ａよりも後方の位置に、前記抜止係止軸６が嵌入される抜止凹部２ｂを設けている。
【００３６】
そして、前記挿入フォーク部２ｃと係止凹部２ａと抜止凹部２ｂを上下にずらせて配置した構成としている。
また、繰出しロールの掻出フォーク構造において、掻出フォーク２の抜止凹部２ｂよりも後方に、掻出フォーク２を掴むための掴み部２ｄを突設している。
【００３７】
前記間隔保持軸１は、直径１２ｍｍの軸により構成し、繰出しロールＫの掻出スリット溝９のピッチと同じ７．３５ｍｍのピッチで、掻出フォーク２が係合嵌挿される係止溝１ａを穿設している。前記係止溝１ａの幅は１．３ｍｍで、深さは１．５ｍｍで、その数は４０個である。
前記間隔保持軸１の両端にＭ６のネジ穴１ｂを設けて、図８の如く、繰出しロールユニットＵを構成する側板プレート３の外側から挿入する固定螺子１ｃにより螺装すべく構成している。
【００３８】
また、前記間隔保持軸１とは別に直径１２ｍｍの抜止係止軸６を設けている。前記抜止係止軸６の全長は、前記間隔保持軸１と同じで、両端にＭ６のネジ穴６ｂを設け、側板プレート３の外側から固定螺子６ｃを螺装して、繰出しロールユニットＵに固定している。
【００３９】
前記掻出フォーク２は、前方へ掻出スリット溝９への嵌入部である挿入フォーク部２ｃを設けている。また、前記挿入フォーク部２ｃの基部の上方の位置に、前記間隔保持軸１の係止凹部２ａを前方へ向いて開口したＵ字溝として構成している。前記係止凹部２ａの後方の上方の位置には、抜止係止軸６を嵌挿するための抜止凹部２ｂを設けている。前記抜止凹部２ｂは、後方へ向いて開口したＵ字溝としている。前記掻出フォーク２は、板状の部品であり、繰出しロールＫの掻出スリット溝９の数だけ用意されている。
前記間隔保持軸１は、直径１２ｍｍの軸に、係止溝１ａを複数個だけ一定間隔をあけて穿設している。前記抜止係止軸６は、同じく直径１２ｍｍであるが、係止溝１ａに該当する溝は穿設されておらず、直線的な外径１２ｍｍの軸により構成されている。
【００４０】
また、前記掻出フォーク２は、抜止凹部２ｂよりも上方で、後方に向けて、掴み部２ｄを設けて、前記抜止係止軸６を取り外した状態で、掻出フォーク２を１枚ずつ取り外すことができるように構成されている。
【００４１】
次に、掻出フォーク仕組Ｇの組立手順について説明する。
まずは、図１１に図示するように、繰出しロールユニットＵの左右の側板プレート３・３に繰出しロールＫが装着されている状態で、間隔保持軸１を左右の側板プレート３・３の間に挿入し、所定の位置で、固定螺子１ｃにより固定する。
【００４２】
次に、図１２に図示するように、掻出フォーク２の先端の挿入フォーク部２ｃを繰出しロールＫの掻出スリット溝９に嵌入し、係止凹部２ａが間隔保持軸１の係止溝１ａに嵌入して係止させる位置まで、掻出フォーク２を挿入する。これを４０枚分の掻出フォーク２について行う。
【００４３】
次に、図１３に図示するように、全て掻出フォーク２が、間隔保持軸１の係止溝１ａの全てに挿入できた後に、掻出フォーク２の後部の抜止凹部２ｂの部分に、抜止係止軸６を横方向から、４０枚の掻出フォーク２の抜止凹部２ｂを貫通して挿入する。これにより、掻出フォーク２が後方へ抜けるのを阻止する。
【００４４】
次に、掻出フォーク２のメンテナンスの為の脱着について説明する。
真ん中部分にある掻出フォーク２の１個を取り出す場合には、抜止係止軸６の両端の固定螺子６ｃ緩めて、抜止係止軸６を取り外す。抜止係止軸６が取り外した状態で、交換したい掻出フォーク２の掴み部２ｄを掴んで、後ろ側に向けて掻出フォーク２を引き出す。引き出した掻出フォーク２に代えて新たな掻出フォーク２を挿入する。抜止係止軸６を再度挿入して、端部のＭ６のネジ穴６ｂにネジ６ｃを螺装して、掻出フォーク仕組Ｇの全体を固定する。
このようにして、簡単に、掻出フォーク仕組Ｇから１枚の掻出フォーク２のみを取り出しすることができる。
【符号の説明】
【００４５】
Ａ  床土供給装置
Ｂ  播種装置
Ｃ  覆土装置
Ｄ  灌水装置
Ｅ  均平装置
Ｆ  育苗箱の移動方向
Ｇ  フォーク仕組
Ｋ  繰出しロール
Ｒ  駆動レール
Ｑ  開口部
Ｓ  付勢バネ
Ｕ  繰出しロールユニット
Ｖ  繰出しロールの回転方向
Ｗ  母線
２  掻出フォーク
３Ｌ・３Ｒ  側板プレート
４Ｌ・４Ｒ  フレーム側板
５  駆動ロール
８  条溝形状繰出し凹部
８ａ  前側面取り加工
８ｂ  後側面取り部分
９    掻出スリット溝
１１  六角回転筒軸
１４  六角孔軸受
１５  六角回転軸
１６  回転軸引出し部材
１７  ロール側板
１８  種子ホッパー
３２  駆動モータ軸
３３  種子回転ブラシ
３４  駆動スプロケット
３５  種子案内ガイド
３６  モータスプロケット
３７  カウンタースプロケット
３８  カウンター軸
３９  シャッター操作部
４０  シャッター
４１  スプロケット支持板
７０  チェーン
【図１】
2018011559.tif 000003
【図２】
2018011559.tif 000004
【図３】
2018011559.tif 000005
【図４】
2018011559.tif 000006
【図５】
2018011559.tif 000007
【図６】
2018011559.tif 000008
【図７】
2018011559.tif 000009
【図８】
2018011559.tif 000010
【図９】
2018011559.tif 000011
【図１０】
2018011559.tif 000012
【図１１】
2018011559.tif 000013
【図１２】
2018011559.tif 000014
【図１３】
2018011559.tif 000015
【図１４】
2018011559.tif 000016
【図１５】
2018011559.tif 000017
【図１６】
2018011559.tif 000018